(57)【要約】【課題】炊飯器等の調理器において、操作部から浸入した水が該操作部下方に設置された制御基板に触れないようにして、部品の劣化や故障の原因を解消することである。【解決手段】基板ホルダー６に制御基板を取付けてなる調理器の基板ユニットにおいて、上記基板ホルダー６に上記制御基板上をカバーする上面カバー部と、その制御基板の前面をカバーする前面カバー部１１とを設け、その前面カバー部１１の前面に上記上面カバー部の前縁部２１から流れ落ちる水を集める樋部２３を設け、該樋部２３に排水口２４を設けた構成を採用した。【選択図】　図４
2004033531.tif 000002
【特許請求の範囲】
【請求項１】
基板ホルダーに制御基板を取付けてなる調理器の基板ユニットにおいて、上記基板ホルダーに上記制御基板上をカバーする上面カバー部と、その制御基板の前面をカバーする前面カバー部とを設け、その前面カバー部の前面に上記上面カバー部から流れ落ちる水を集める樋部を設け、該樋部に排水口を設けたことを特徴とする調理器の基板ユニット。
【請求項２】
上記の上面カバー部を、上記の前面カバー部の上端縁に沿った共通カバー部と、その共通カバー部から複数箇所に分かれて制御基板上に突き出した突き出しカバー部とにより構成し、各突き出しカバー部をその上方の調理器本体部分からの漏水位置に合わせた位置に設けたことを特徴とする請求項１に記載の調理器の基板ユニット。
【請求項３】
上記の共通カバー部の内周縁と、これに連続した突き出しカバー部の周縁部に、連続したリブを設けた請求項２に記載の調理器の基板ユニット。
【発明の詳細な説明】
【０００１】
【発明の属する技術分野】
この発明は、炊飯器（炊飯ジャーを含む。）等の調理器における基板ユニットに関し、特に基板ユニットの防水構造に関するものである。
【０００２】
【従来の技術】
炊飯器等の調理器においては、複数のスイッチボタンからなる操作部下方の器体内部に基板ホルダーと制御基板とをユニット化した基板ユニットが取付けられる（例えば、特開平１１−１８９２７号公報、特開２００１−１７３１３号公報参照）。
【０００３】
上掲の公報に見られるように、炊飯器における基板ユニットは、基板ホルダーが器体胴部の内側に沿って配置され、その基板ホルダーの内側に制御基板が取付けられる構造になっており、その制御基板が操作部の下方に位置する。制御基板には、マイコンをはじめとする各種電子部品、ヒートシンク等が搭載されるとともに、これらの部品間のプリント配線が設けられる。
【０００４】
【発明が解決しようとする課題】
上記のように、従来の基板ユニットは、その制御基板が操作部の下方に位置するように取付けられていたので、使用者による調理器の手入れ時等において、操作部にかかった水がボタン穴等を通して器体内部下方に漏水し、水滴となって制御基板の部品上に落下するおそれがあった。制御基板上の部品に水がかかることは故障の原因となるので、極力排除しなければならない。
【０００５】
そこで、この発明は、部品の増加を伴うことなく、基板ホルダーを利用して制御基板の防水を図ることを課題とする。
【０００６】
【課題を解決するための手段】
上記の課題を解決するために、この発明は、基板ホルダーに制御基板を取付けてなる調理器の基板ユニットにおいて、上記基板ホルダーに上記制御基板上をカバーする上面カバー部と、その制御基板の前面をカバーする前面カバー部とを設け、その前面カバー部の前面に上記上面カバー部から流れ落ちる水を集める樋部を設け、該樋部に排水口を設けた構成を採用した。
【０００７】
上記の構成によると、器体の操作部等の漏水位置から落下した水は、基板ホルダーの上面カバー部で受けられる。その上面カバー部で受けられた水は前面カバー部を伝って下方に滑り落ち、樋部により受けられる。水は樋部を流れ下り、排水口から外部に排出される。
【０００８】
また、上記の上面カバー部を、上記の前面カバー部の上端縁に沿った共通カバー部と、その共通カバー部から複数箇所に分かれて制御基板上に突き出した突き出しカバー部とにより構成し、各突き出しカバー部をその上方の調理器本体部分からの漏水位置に合わせた位置に設けた構成を採用することができる。この構成を採用すると、上面カバー部が複数の突き出し部に分かれているため、突き出し部間のすき間を通じて空気が流通する。これにより基板ユニット内の熱が放散され制御基板の温度上昇を防ぐことができる。
【０００９】
さらに、上記の共通カバー部の内周縁と、これに連続した突き出しカバー部の周縁部に、連続したリブを設けた構成を採用すると、共通カバー部と突き出しカバー部上に落下した水がリブを越えて落下することを防止し、その水を樋部に確実に集めることができる。
【００１０】
【発明の実施の形態】
以下、添付図面に基づいてこの発明の実施形態を説明する。図１に示した炊飯ジャーは、ジャー本体１の前方部分の内部に基板ユニット２が取付けられ、その基板ユニット２の上方にはスイッチボタン３を含む操作部４が設けられる。また、基板ユニット２下方のジャー本体１の底面には、空気穴５が設けられる。
【００１１】
上記の基板ユニット２は、図２及び図３に示すように、基板ホルダー６、制御基板７、送風ファン８及び絶縁用のマイカ板９とにより構成される。基板ホルダー６は、ジャー本体１の前面に沿ってわん曲した前面カバー部１１と、その上端縁から内向きに形成された上面カバー部１２、及び前面カバー部１１の下端縁から内向きに、かつ下方へ傾斜した下面カバー部１３により形成され、前面カバー部１１の両端部の２ヵ所と中程の２ヵ所に、固定用のボス部１４、１４、１４ａ、１４ａ（図３（ａ）参照）が設けられる。
【００１２】
上記の上面カバー部１２は、全体として若干前方が低くなるように傾斜しており、前面カバー部１１の上端縁に沿った共通カバー部１５と、その共通カバー部１５の３ヵ所から内向き（ジャー本体１の後方向き）に突き出した突き出しカバー部１６とからなる。これらの突き出しカバー部１６の相互間にはすき間１７が設けられる。突き出しカバー部１６の数やその位置は、その上方に位置する操作部４の水漏れのおそれのある位置（例えば、ボタン穴のすき間）に対応して決定される。上面の全体に上面カバー部１２を設け、すき間１７を設けない構造も採り得るが、基板ユニット２の内部の熱を放散するためには、漏水を受ける部分、即ち突き出しカバー部１６の位置を限定的に定め、漏水のおそれのない部分にすき間１７を設けることが望ましい。
【００１３】
上記共通カバー部１５のすき間１７に対応した内周縁、及び突き出しカバー部１６の３辺の周縁部に、連続したリブ１８が上方に突き出して設けられる。また、同様のリブ１９、１９が共通カバー部１５の左右両端部に近い部分にも設けられる（図３（ａ）参照）。
【００１４】
また、前面カバー部１１の上端縁において、前記の左右のボス部１４ａ、１４ａ相互間に、庇状に若干突き出した前縁部２１が設けられる（図３、図４参照）。また、その前縁部２１と両側のリブ１９、１９の下方の前面カバー部１１に窓穴２２が左右方向に並んで複数箇所設けられる。さらに、その窓穴２２の下方において、前縁部２１の範囲内に、左右一対のリブ状の樋部２３、２３が設けられる。各樋部２３は外端部が高く、内端部が低くなるように傾斜が付けられ、その外端部は、前記のリブ１９の内端の下方に達する。また、内端部２３ａ（図３（ｂ）参照）は前面カバー部１１の正面中央部の下端縁１１ａ下方に若干突き出し、左右の内端部２３ａ相互が一定の間隔をおいて対向する。その対向部分が排水口２４となる。
【００１５】
下面カバー部１３の下面には左右一対のホルダー２５、２５が設けられる。各ホルダー２５には、前後にばね片２６、２６が設けられ、両方のホルダー２５、２５間に挿入された前記の送風ファン８に該ばね片２６、２６が係合される。送風ファン８は下面カバー部１３の傾斜に従って後方に傾斜する。また、送風ファン８は、その下方の空気穴５から吸引した空気を上方に吹き出すように構成され、その吸引範囲及び吹き出し範囲を妨げないように、下面カバー部１３に欠円形の切込み２７（図５（ａ）参照）が設けられる。
【００１６】
一方、前記の制御基板７は、ヒートシンク２８等の部品を取付けた面を基板ホルダー６の内面側に向けて、該基板ホルダー６の後面に嵌合され、複数箇所においてビス２９により該基板ホルダー６に固定される（図２参照）。制御基板７の上部左右のコーナー部３１、３１はＬ形に切欠かれ、それぞれ、ボス部１４の内側にその下方から挿入され嵌合される（図６（ａ）（ｂ）参照）。
【００１７】
また、前記のマイカ板９も、図２、図５（ｂ）に示すように、上部左右のコーナー部３２、３２はＬ形に切欠かれ、前記制御基板７の背面に重ねるとともに、そのコーナー部３２、３２を、前記の制御基板７の場合と同様に、ボス部１４、１４の内側にその下方から挿入され嵌合される。マイカ板９の下端縁は送風ファン８の上面に押し当てられる（図１参照）。
【００１８】
以上の構成でなる基板ユニット２は、基板ホルダー６の各面（前面カバー部１１、上面カバー部１２、下面カバー部１３）により制御基板７をカバーすることにより、組立時等において部品を保護する。また、前記の各ボス部１４、１４ａをジャー本体１側の固定ボス部３３に合わせ、ビス３４により基板ホルダー６を固定することにより（図４参照）、基板ユニット２を所定位置に組込む。
【００１９】
基板ユニット２をジャー本体１に組込んだ図１の状態において、制御基板７の部品取付け部分は、スイッチボタン３を有する操作部４の下方に位置し、また、送風ファン８の上方に位置する。送風ファン８により空気穴５から吸い込まれた外部空気は、部品、特にヒートシンク２８を空冷して上部の窓穴２２及びすき間１７から基板ユニット２の外部に排出される。
【００２０】
また、使用者による手入れ等に際し、操作部４にかけられた水が水滴となって操作部４から落下したとすると、図１に破線矢印で示すように、その水滴は突き出しカバー部１６で受けられ、その突き出しカバー部１６上を前方に移動し、共通カバー部１５を経て、前縁部２１から下方へ落下する。落下する左右方向の範囲は、リブ１９、１９に規制され、そのリブ１９、１９の内端相互間、即ち、前縁部２１の範囲内に限定される。
【００２１】
前縁部２１から落下した水は、図１の破線矢印で示すように、水の表面張力により、前面カバー部１１の前面側に曲げられ、その前面に沿って下降する。前面カバー部１１を滑り落ちる途中で、樋部２３、２３に接触して集められ、排水口２４を通って空気穴５から外部に排出される。
【００２２】
この場合、排水口２４の上方から流れ落ちる水は、樋部２３、２３に集められられることなく、直接排水口２４に落ちるので、その水が表面張力により、下面カバー部１３側に曲がり、そのまま傾斜した下面カバー部１３に沿って下降する可能性がある。
【００２３】
このような可能性をなくするために、図３（ｂ）において、排水口２４上の前面カバー部１１の前面に「へ」の字形の補助樋部２３’を設け、全ての水を樋部２３、２３に集め、排水口２４から排出するようにしてもよい。
【００２４】
【発明の効果】
以上のように、この発明によれば、炊飯器等の調理器の手入れ時等において、操作部に水がかかったとしても、その水は制御基板及びその上に搭載された電子部品に接触することなく、樋部に案内されて外部に排出される。このため、部品の増加を伴うことなく、水の浸入を原因とする部品の劣化や故障を防ぐことができる。
【図面の簡単な説明】
【図１】実施形態の断面図
【図２】同上の基板ユニットの分解斜視図
【図３】（ａ）同上の基板ホルダーの平面図
（ｂ）（ａ）図の平面図
【図４】同上の基板ユニットの斜視図
【図５】（ａ）同上の基板ユニットの底面図
（ｂ）同上の基板ユニットの背面図
【図６】（ａ）同上の組立時の一部斜視図
（ｂ）同上の組立後の一部断面図
【符号の説明】
１　ジャー本体
２　基板ユニット
３　スイッチボタン
４　操作部
５　空気穴
６　基板ホルダー
７　制御基板
８　送風ファン
９　マイカ板
１１　前面カバー部
１１ａ　下端縁
１２　上面カバー部
１３　下面カバー部
１４　ボス部
１４ａ　ボス部
１５　共通カバー部
１６　突き出しカバー部
１７　すき間
１８　リブ
１９　リブ
２１　前縁部
２２　窓穴
２３　樋部
２３’　補助樋部
２４　排水口
２５　ホルダー
２６　ばね片
２７　切込み
２８　ヒートシンク
２９　ビス
３１　コーナー部
３２　コーナー部
３３　固定ボス部
３４　ビス
【図１】
2004033531.tif 000003
【図２】
2004033531.tif 000004
【図３】
2004033531.tif 000005
【図４】
2004033531.tif 000006
【図５】
2004033531.tif 000007
【図６】
2004033531.tif 000008